(57)【要約】      （修正有）【課題】適切かつ容易に取扱うことが可能なマークカードユニットを提供する。【解決手段】マークカードユニットは、マークカードとホルダーを備える。マークカードは、記入領域と、非記入領域とを備えており、ホルダーは、マークカードを覆った際にマークカードを視認することが可能な材質からなる表側部と、表側部よりも高剛性な樹脂板材からなる裏側部と、を有し、マークカードを表側部と裏側部との間に挟み込んで表側部と裏側部との間の空間内に収納する。表側部には、マークカードが空間内に収納された状態のままで記入領域を露出させるための第１穴と、空間内のマークカードを空間外に取り出す際に非記入領域の一部を露出させるための第２穴と、が設けられている。第１穴は、表側部の外縁から延出するように形成されており、第１穴の外縁は、マークカードが空間内に収納された状態で記入領域よりも外側に位置する。【選択図】図１
0003167648.tif 000002
【実用新案登録請求の範囲】
【請求項１】
回答者が記入する記入領域と、該記入領域以外の非記入領域とを備えたマークカードと、
該マークカードを覆った際に該マークカードを視認することが可能な材質からなる表側部と、該表側部よりも高剛性な樹脂板材からなり、前記表側部が接合される裏側部と、を有し、前記表側部と前記裏側部との間に形成された空間の一端である開口端から前記空間内に挿入された前記マークカードを、前記表側部と前記裏側部との間に挟み込んで前記空間内に収納するホルダーと、
を有するマークカードユニットであって、
前記回答者が前記記入領域に記入する際に、前記マークカードが前記空間内に収納された状態のままで前記記入領域を露出させるための第１穴と、
前記第１穴とは異なる位置に形成され、前記空間内の前記マークカードを、前記開口端を通じて前記空間外に取り出す際に前記非記入領域の一部を露出させるための第２穴と、
を前記表側部に備え、
前記第１穴は、前記表側部の外縁から延出するように形成されており、
前記マークカードが前記空間内に収納された状態で前記第１穴の外縁が前記記入領域よりも外側に位置することを特徴とするマークカードユニット。
【請求項２】
前記第２穴は、長穴であり、
前記第２穴の長手方向は、前記空間内の前記マークカードを前記空間外に取り出す際の取り出し方向に沿っていることを特徴とする請求項１に記載のマークカードユニット。
【請求項３】
前記表側部は、前記第２穴の長手方向に沿って長く、
前記表側部の上端は、前記表側部の長手方向において前記開口端が位置する側の端であり、前記表側部の長手方向と交差する交差方向に対して斜めに傾いている傾斜部を有することを特徴とする請求項２に記載のマークカードユニット。
【請求項４】
前記表側部は、前記交差方向の一側部を袋状に折り返した状態で前記裏側部に圧着接合され、
前記裏側部と、前記交差方向において前記一側部と隣接する隣接部との間には前記空間が形成され、
前記一側部を袋状に折り返して形成される他の空間は、前記回答者が前記記入領域に記入する際に用いる筆記用具を収納するための空間であることを特徴とする請求項３に記載のマークカードユニット。
【請求項５】
前記マークカードは、
前記記入領域と前記非記入領域とにより構成されたマークカード本体と、
該マークカード本体の上端部と隣接し、第三者によって切り取られる切り取られ部と、を有し、
前記マークカード本体と前記切り取られ部との境界位置には、切り取り線が形成され、
前記マークカードが前記空間内に収納された状態において、前記マークカード本体が前記空間内に配置され、前記切り取られ部が前記空間外に配置されることを特徴とする請求項１乃至請求項４のいずれか１項に記載のマークカードユニット。
【請求項６】
前記記入領域は、複数の議案の各々に対して割り当てられた記入領域片を前記議案の数だけ有し、
前記記入領域片は、前記回答者が前記議案に対する回答を記入するための記入欄を有し、
複数の前記議案のうち、複数の候補者が関与し、該候補者毎に前記回答を要する議案に対して割り当てられた前記記入領域片は、
前記候補者に対する前記回答を個別に記入するための前記記入欄を前記候補者の数だけ有すると共に、複数の前記候補者に対して前記回答を一括して記入するための前記記入欄を有することを特徴とする請求項１乃至請求項５のいずれか１項に記載のマークカードユニット。
【考案の詳細な説明】
【技術分野】
【０００１】
本考案は、マークカードユニットに関し、特に、株主総会において議決権行使に好適なマークカードと当該マークカードを収納するホルダーとを有するマークカードユニットに関する。
【背景技術】
【０００２】
一般に、株主総会は、株式会社の機関の一つであり、株主を構成員とし、会社の基本的な方針や重要な事項を決定するが、株主は、原則としてその所有する株式数に応じて一定の量の議決権を株主総会において行使できる。議決権の行使については、マークカード（或いはマークシート、以下同じ）を用いた技術が知られている。すなわち、従来は、株主が議案に対する回答をマークカードの記入欄に記入した後、当該マークカードが読み取られることにより議決権の行使が行われていた。
【０００３】
ところで、上記のマークカードは、株主総会の受付において株主に手渡され、最終的に回収されるまでの間は株主によって持ち運ばれる。ここで、株主がマークカードを手で持ち運ぼうとすると、マークカードを汚損したり紛失したりする虞がある。この場合、マークカードが正常に読み取られない結果、株主が適切に議決権を行使することができなくなってしまう。
【０００４】
一方、マークカードを収容するホルダーが既に提案されており、マークカードを持ち運ぶ際に、マークカードをホルダーに収容して当該ホルダーを首から下げておけば、マークカードの汚損や紛失を防止することが可能になる。
【０００５】
さらに、ホルダーの中には、マークカードの記入部分に対応した孔が設けられているものが存在する（特許文献１参照）。特許文献１に開示されたホルダーを用いることにより、上記の孔を通じてマークカードの記入欄に記入することが可能となる。すなわち、特許文献１に開示されたホルダーを用いることにより、ホルダーに収納したままの状態でマークカードへの記入が可能となる。
【先行技術文献】
【特許文献】
【０００６】
【特許文献１】実願平３−１０２１９６号（実開平５−５１６７７号）のＣＤ−ＲＯＭ
【考案の概要】
【考案が解決しようとする課題】
【０００７】
しかしながら、特許文献１に記載のホルダーでは、マークカードの記入部分とホルダーの孔とが略同一の大きさ・形状になっているため、ホルダーに収納された状態においてマークカードが正規の収納位置からずれてしまうと、マークカードへの記入が適切に行えなくなり、ホルダーからマークカードを取り出して再度収納し直すという手間が生じていた。
【０００８】
また、特許文献１に記載のホルダーでは、マークシートの形状や記入欄の位置が変わったときに対応ができず、汎用性が乏しいという問題もある。さらに、記入済みのマークカードをホルダーから取り出す際には、マークカードを汚さないために記入箇所に触れないようにマークカードを取り出す必要がある。
【０００９】
本考案は、上記不都合を解決するためになされたものであり、その目的は、適切かつ容易に取扱うことが可能なマークカードユニットを提供することであり、特に、マークカードの形状や記入欄の位置の変化に柔軟に対応しつつ、ホルダーに収納した状態のままでマークカードへの記入を行い、記入済みのマークカードを汚さずにホルダーから取り出すことが可能なマークカードユニットを提供することである。
【課題を解決するための手段】
【００１０】
前記課題は、本考案のマークカードユニットによれば、回答者が記入する記入領域と、該記入領域以外の非記入領域とを備えたマークカードと、該マークカードを覆った際に該マークカードを視認することが可能な材質からなる表側部と、該表側部よりも高剛性な樹脂板材からなり、前記表側部が接合される裏側部と、を有し、前記表側部と前記裏側部との間に形成された空間の一端である開口端から前記空間内に挿入された前記マークカードを、前記表側部と前記裏側部との間に挟み込んで前記空間内に収納するホルダーと、を有するマークカードユニットであって、前記回答者が前記記入領域に記入する際に、前記マークカードが前記空間内に収納された状態のままで前記記入領域を露出させるための第１穴と、前記第１穴とは異なる位置に形成され、前記空間内の前記マークカードを、前記開口端を通じて前記空間外に取り出す際に前記非記入領域の一部を露出させるための第２穴と、を前記表側部に備え、前記第１穴は、前記表側部の外縁から延出するように形成されており、前記マークカードが前記空間内に収納された状態で前記第１穴の外縁が前記記入領域よりも外側に位置することにより解決される。
【００１１】
以上のように、本考案のマークカードユニットでは、マークカードの記入領域を露出させるための第１穴がホルダー（具体的には、ホルダーの表側部）の外縁から延出するように形成されている。また、マークカードがホルダーの空間内に収納された状態において、第１穴の外縁が記入領域よりも外側に位置する。かかる構成により、ホルダーに収納した状態のままでマークカードへの記入を行うことが可能となり、ホルダーにおいてマークカードがずれて収納されたとしても、マークカードへの記入を適切に行うことが可能になる。
また、第１穴の大きさが十分に確保されているので、マークカードの形状や記入欄の位置の変化に対して柔軟に対応することができる。さらに、ホルダーの表側部において第１穴とは異なる位置に第２穴が設けられていることにより、記入済みのマークカードをホルダーから取り出す際には記入欄に触れることなくマークカードを汚さずに取り出すことが可能である。以上により、本考案によれば、適切かつ容易に取扱うことが可能なマークカードユニットを提供することが可能になる。
【００１２】
また、上記のマークカードユニットにおいて、前記第２穴は、長穴であり、前記第２穴の長手方向は、前記空間内の前記マークカードを前記空間外に取り出す際の取り出し方向に沿っていることとしてもよい。かかる構成であれば、マークカードを取り出す動作として、第２穴により露出した非記入領域を指等で摺擦してマークカードをスライドさせる際に、第２穴の長手方向が当該摺擦方向に沿っているので、マークカードを取り出し易くなる。
【００１３】
また、上記のマークカードユニットにおいて、前記表側部は、前記第２穴の長手方向に沿って長く、前記表側部の上端は、前記表側部の長手方向において前記開口端が位置する側の端であり、前記表側部の長手方向と交差する交差方向に対して斜めに傾いている傾斜部を有することとしてもよい。かかる構成であれば、表側部の上端が交差方向に沿っている場合と比較して、開口端が広がるので、マークカードをホルダーに入れ易くなる。
【００１４】
また、上記のマークカードユニットにおいて、前記表側部は、前記交差方向の一側部を袋状に折り返した状態で前記裏側部に圧着接合され、前記裏側部と、前記交差方向において前記一側部と隣接する隣接部との間には前記空間が形成され、前記一側部を袋状に折り返して形成される他の空間は、前記回答者が前記記入領域に記入する際に用いる筆記用具を収納するための空間であることとしてもよい。かかる構成であれば、マークカード及びマークカードへの記入に用いる筆記用具を共にホルダーに収容することが可能となり、より使い勝手の良いマークカードユニットが実現される。
【００１５】
また、上記のマークカードユニットにおいて、前記マークカードは、前記記入領域と前記非記入領域とにより構成されたマークカード本体と、該マークカード本体の上端部と隣接し、第三者によって切り取られる切り取られ部と、を有し、前記マークカード本体と前記切り取られ部との境界位置には、切り取り線が形成され、前記マークカードが前記空間内に収納された状態において、前記マークカード本体が前記空間内に配置され、前記切り取られ部が前記空間外に配置されることとしてもよい。かかる構成であれば、第三者が回答者にマークカードユニットを手渡すにあたって、マークカードをホルダーに収容した状態のままで切り取られ部を容易に切り取ることが可能になる。
【００１６】
また、上記のマークカードユニットにおいて、前記記入領域は、複数の議案の各々に対して割り当てられた記入領域片を前記議案の数だけ有し、前記記入領域片は、前記回答者が前記議案に対する回答を記入するための記入欄を有し、複数の前記議案のうち、複数の候補者が関与し、該候補者毎に前記回答を要する議案に対して割り当てられた前記記入領域片は、前記候補者に対する前記回答を個別に記入するための前記記入欄を前記候補者の数だけ有すると共に、複数の前記候補者に対して前記回答を一括して記入するための前記記入欄を有することとしてもよい。かかる構成であれば、マークカードへの記入作業を簡略化することができ、回答者に対する記入負担が軽減される。
【考案の効果】
【００１７】
本考案に係るマークカードユニットによれば、上述したように、マークカードがずれてホルダーに収納されたとしても、マークカードへの記入を適切に行うことが可能になる。また、第１穴の大きさが十分に確保されているので、マークカードの形状や記入欄の位置の変化に対して柔軟に対応することができる。さらに、記入済みのマークカードをホルダーから取り出す際には記入欄に触れることなくマークカードを汚さずに取り出すことが可能である。以上の結果、適切かつ容易に取扱うことが可能なマークカードユニットを提供することが可能になる。
【図面の簡単な説明】
【００１８】
【図１】本考案の実施形態に係るマークカードユニットを表側から見た図である。
【図２】本考案の実施形態に係るマークカードユニットを裏側から見た図である。
【図３】本考案の実施形態に係るマークカードの第１例の表面を示す図である。
【図４】本考案の実施形態に係るマークカードの第１例の裏面を示す図である。
【図５】本考案の実施形態に係るマークカードの第２例の表面を示す図である。
【図６】本考案の実施形態に係るマークカードの第３例の表面を示す図である。
【図７】本考案の実施形態に係るホルダーＨを表側から見た図である。
【図８】本考案の実施形態に係るマークカードユニットの使用状況を示す図である（その１）。
【図９】本考案の実施形態に係るマークカードユニットの使用状況を示す図である（その２）。
【考案を実施するための形態】
【００１９】
以下では、本考案に係る実施形態（以下、本実施形態）について、図１乃至図９を参照しながら説明する。なお、以下に説明する部材、配置、形状等は、本考案を限定するものではなく、本考案の趣旨に沿って各種改変することができることは勿論である。
【００２０】
図１乃至図９は、本実施形態を示すものであり、図１は、本実施形態に係るマークカードユニットを表側から見た図であり、図２は、裏側から見た図である。図３乃至図６は、本実施形態に係るマークカードの説明図であり、図３は、本実施形態に係るマークカードの第１例の表面を示す図であり、図４は、当該第１例の裏面を示す図である。図５は、本実施形態に係るマークカードの第２例の表面を示す図であり、図６は、本実施形態に係るマークカードの第３例の表面を示す図である。図７は、本実施形態に係るホルダーを表側から見た図である。図８及び図９は、本実施形態に係るマークカードユニットの使用状況を示す図であり、図８は、回答者がマークカードユニットを首から下げた様子を示し、図９は、マークカードへの記入が行われている様子を示している。
【００２１】
本実施形態に係るマークカードユニット（以下、マークカードユニットＭ）は、株式会社が開催する株主総会で使用されるものであり、議決権を行使するために株主総会に出席した株主に配布される。ここで、株主とは、回答者の一例であり、議決権を行使する上で本実施形態に係るマークカード（以下、マークカードＣ）への記入を行う。
マークカードユニットＭは、図１及び図２に示すように、上述のマークカードＣと、本実施形態に係るホルダー（以下、ホルダーＨ）とにより構成される。なお、マークカードユニットＭを株主に手渡す時点で、図１及び図２に示すように、マークカードＣの他、株主がマークカードＣの所定領域に記入する際に用いる筆記用具Ｂ（図１及び図２には、シャープペンシルが図示されている）がホルダーＨ内に収納されている構成であってもよい。
【００２２】
以下、マークカードユニットＭの構成要素であるマークカードＣ、及び、ホルダーＨの各々について、図３乃至図９を参照しながら詳細に説明する。
【００２３】
＜マークカードＣについて＞
図３及び図４に示すマークカードＣは、議決権行使結果確認票と呼ばれ、金融庁の開示府令に則って株主総会の透明性を上げる目的の下、総会に出席した株主による議決権行使の集計確認を行うために用いられるものである。具体的に説明すると、図３及び図４に示すマークカードＣは、回答者である株主が株主総会で提案される議案に対して賛否の回答を記入するためのものであり、最終的には不図示の光学式マーク読取装置により読み取られる。
本実施形態において、マークカードＣは、略矩形状の外形形状を有する紙媒体であり、左下角部には、マークカードＣを複数積み重ねて揃えるためのコーナカット部ＣＶが形成されている。なお、マークカードＣの材質としては、紙の他に、合成樹脂シートその他の材料を用いることも可能である。
【００２４】
マークカードＣは、図３及び図４に示すように、マークカード本体ＣＨと、切り取られ部としてのタグＣＴとにより構成されている。マークカード本体ＣＨは、その表面（図３参照）に株主が回答を記入することから回答用紙として機能すると共に、裏面（図４参照）には受付番号等が中央部に表示されていることから出席票としても機能する。
【００２５】
タグＣＴは、マークカード本体ＣＨの上端部と隣接しており、その裏面には受付番号が記載されている（図４参照）。また、マークカード本体ＣＨとタグＣＴとの境界位置には、切り取り線Ｌが形成されている。そして、タグＣＴは、株主にマークカードユニットＭを手渡す際に第三者（具体的には、株主総会の受付スタッフ）により切り取られる。切り取られたタグＣＴは、第三者により回収され、例えば、マークカードユニットＭを手渡す際に株主から提出された議決権行使書（不図示）と共に保管される。
【００２６】
マークカード本体ＣＨの構成について説明すると、マークカード本体ＣＨの表面は、大きく２つの領域で構成されている。一方の領域は、株主が回答を記入する記入領域ＣＨ１であり、もう一方の領域は、株主が記入しない（換言すると、記入領域ＣＨ１以外の領域である）非記入領域ＣＨ２である。本実施形態において、記入領域ＣＨ１は、矩形状の領域であり、マークカード本体ＣＨの略中央部に配置されており、非記入領域ＣＨ２は、記入領域ＣＨ１の四方を包囲するように配置されている。
【００２７】
先ず、非記入領域ＣＨ２について説明する。非記入領域ＣＨ２は、受付番号を示す受付番号領域ＣＨ２１、議案等を示す議案領域ＣＨ２２、予備スペースとして確保された予備領域ＣＨ２３、注意事項を示す注意事項領域ＣＨ２４、及び、受付番号に対応するプレマークを示すプレマーク領域ＣＨ２５により構成されている。
【００２８】
具体的に説明すると、マークカード本体ＣＨの表面の上端部には、受付番号領域ＣＨ２１が配置され、受付番号領域ＣＨ２１には所定の番号（図３に示すケースでは、０３２４）が印刷されており、その下部にはタイミングマークｔが印刷されている。受付番号領域ＣＨ２１の右隣には、プレマーク領域ＣＨ２５が配置され、プレマーク領域ＣＨ２５に形成された２段のカラム列のうち、受付番号に対応した受付番号に対応するカラムに、予めマーク（プレマーク）が打たれている。なお、マークカード本体ＣＨの右端には上記２段のカラム列と対応する位置（具体的には、上下方向においてカラム列と同じ位置）にタイミングマークｔが印刷されている。
【００２９】
受付番号領域ＣＨ２１の下には、議案領域ＣＨ２２が配置されており、議案領域ＣＨ２２には、複数の議案（具体的には議案名であり、図３に示すケースでは、第１号議案、第２号議案・・・）が議案毎に列を変えて記載されている。なお、複数の議案の中には、複数の候補者が関与しているものがある（図３に示すケースでは、第３号議案及び第４号議案）。このような議案は、候補者毎に株主の回答を要する議案であり、議案領域ＣＨ２２では、このような議案の下位置に、候補者名（図３に示すケースでは、例えば、第３号議案に対する候補者として田中洋、横川典久・・・が挙げられている）が候補者毎に列を変えて記載されている。
【００３０】
後述する記入領域ＣＨ１を挟んで議案領域ＣＨ２２の反対側には、予備領域ＣＨ２３が配置されている。通常の場合、予備領域ＣＨ２３には情報が記載されないが、必要な場合には予備領域ＣＨ２３のスペースを利用して適宜情報が記載される。マークカード本体ＣＨの表面の下端部には、注意事項領域ＣＨ２４が配置され、注意事項領域ＣＨ２４には、マークカードＣ（特に、マークカード本体ＣＨ）の取扱い上の注意事項やマークカードＣへの回答の記入上の注意事項が記載されている。
【００３１】
次に、記入領域ＣＨ１について説明する。記入領域ＣＨ１は、複数の議案の各々に対して割り当てられた記入領域片ＣＨ１１〜１５を議案の数（図３に示すケースでは、５つ）だけ有し、各記入領域片ＣＨ１１〜１５は、カラム群Ｃｕを有している。ここで、カラムＣｕ群は、同一直線状に並ぶ３つのカラム（マーク箇所）により構成され、株主が議案に対する回答を記入するための記入欄に相当する。なお、本実施形態では、各議案に対する回答が記入される３つのカラムとして、賛成のカラム、反対のカラム、棄権のカラムが用意されている。
【００３２】
さらに、前述したように、議案の中には、複数の候補者が関与し、該候補者毎に回答を要する議案がある。このような議案に対して割り当てられた記入領域片ＣＨ１３，１４は、候補者に対する回答を個別に記入するためのカラム群Ｃｕ（以下、個別カラム群）を候補者の数だけ有すると共に、複数の候補者に対して回答を一括して記入するためのカラム群Ｃｕ（以下、一括カラム群Ｃｕ１）を有する。このような構成により、株主にとって、個々の候補者全員に個々に賛否の回答を記入する必要がなくなり、議案単位で一括して賛否の回答を記入することができる。この結果、マークカードＣへの記入作業を簡略化することができ、株主に対する記入負担が軽減されることになる。
【００３３】
なお、マークカード本体ＣＨの右端には各カラム群Ｃｕと対応する位置（具体的には、上下方向においてカラム群Ｃｕと同じ位置）にタイミングマークｔが印刷されている。
【００３４】
以上までに説明してきたマークカードＣの構成は、あくまで一例に過ぎず、例えば、図５に示すように、複数の候補者が関与した議案に対して割り当てられた記入領域片ＣＨ１３，１４について、個別カラム群のみを備え、一括カラム群Ｃｕ１を備えていない構成であってもよい。
【００３５】
また、図６に示すように、上述したマークカードＣ（すなわち、図３及び図４に示すマークカードＣであり、議決権行使結果確認票）とは外径形状や記入領域ＣＨ１の大きさが異なるマークカードＣも考えられる。図６に示すマークカードＣは、投票用紙と呼ばれ、葉書やインターネットによる事前議決権行使集計結果において賛否が拮抗している状況で用いられるものであり、具体的には、当該賛否が拮抗している議案に対して株主が総会の場で賛否の回答を記入するものである。
【００３６】
図６に示すマークカードＣは、上下方向の長さがより短い点、カラム群Ｃｕの数が１つのみである点、及び、タグＣＴが備わっていない点で、図３及び図４に示すマークカードＣと相違するものの、基本的な構成については図３及び図４に示すマークカードＣの構成と略同様である。なお、図６に示すマークカードＣは、単独でホルダーＨに収納された状態で株主に手渡されることとしてもよく、図３及び図４に示すマークカードＣと共にホルダーＨに収納された状態で株主に手渡されることとしてもよい。
【００３７】
＜ホルダーＨについて＞
ホルダーＨは、上述したマークカードＣをその内部に収容してマークカードＣを保持するものであり、株主総会の開催中、株主によって携帯される。ホルダーＨは、表側部Ｈ１と裏側部Ｈ２とを備え、表側部Ｈ１と裏側部Ｈ２との間に形成された空間Ｓ内にマークカードＣを収納する。具体的に説明すると、表側部Ｈ１と裏側部Ｈ２との間に形成された空間Ｓの一端である開口端Ｓａから空間Ｓ内にマークカードＣが挿入される。そして、マークカードＣは、空間Ｓの他端である閉塞端に押し当たる位置まで挿入されると、表側部Ｈ１と裏側部Ｈ２との間に挟み込まれて空間Ｓ内に収納されるようになる。
【００３８】
以下、ホルダーＨの構成についてより詳しく説明する。なお、以下の説明中、ホルダーＨの構成をマークカードＣとの関係に基づいて言及する際には、図３及び図４に示すマークカードＣを例に挙げて説明するものとする。
【００３９】
ホルダーＨは、長尺状のシート袋体であり、表側部Ｈ１と裏側部Ｈ２とを主な構成要素とする。そして、前述したように、ホルダーＨは、表側部Ｈ１と裏側部Ｈ２との間に形成された空間Ｓの一端である開口端Ｓａから該空間Ｓ内に挿入されたマークカードＣを、表側部Ｈ１と裏側部Ｈ２との間に挟み込んで上記空間Ｓ内に収納する。
【００４０】
本実施形態に係る裏側部Ｈ２は、ホルダーＨにおいてマークカードＣを裏側から支える台板（下敷き）として機能し、表側部Ｈ１よりも高剛性な材質、具体的には透明のセルロイド板からなる。裏側部Ｈ２は、略矩形状の外径形状をし、その長手方向はホルダーＨの上下方向に相当し、その短手方向はホルダーＨの幅方向（換言すると、上下方向と交差する交差方向）に相当する。なお、裏側部Ｈ２の長手方向長さ（上下方向の長さ）は、マークカードＣ（具体的には、マークカード本体ＣＨ）の上下方向の長さよりも幾分長くなっており、裏側部Ｈ２の短手方向長さ（幅方向の長さ）は、マークカードＣの幅方向の長さよりも一回り長くなっている。また、裏側部Ｈ２の上端部には、首掛け紐Ｊを通すための一対の通し孔Ｈａ，Ｈａが形成されている。
【００４１】
表側部Ｈ１は、裏側部Ｈ１と協働してマークカードＣを収容する空間Ｓを形成すると共に、マークカードＣのカバーとしても機能する。さらに、表側部Ｈ１は、マークカードＣをホルダーＨに収容した状態においてマークカードＣが視認可能な構成となっている。以上の機能や構成を実現するため、本実施形態において、表側部Ｈ１は、可撓性を有し、かつ、マークカードＣを覆った際にマークカードＣを視認することが可能な材質、具体的には透明の樹脂シート（より具体的には、透明ビニールシート）によって構成されている。
【００４２】
また、表側部Ｈ１は、所定方向に長く、表側部Ｈ１の長手方向は、裏側部Ｈ２の長手方向（すなわち、ホルダーＨの上下方向）に一致する。表側部Ｈ１の長手方向長さは、裏側部Ｈ２の長手方向長さよりも幾分短く、かつ、マークカードＣ（より具体的には、マークカード本体ＣＨ）の上下方向の長さよりも僅かに短くなっている。また、表側部Ｈ１の長手方向と交差する交差方向（すなわち、ホルダーＨの幅方向）の長さは、裏側部Ｈ２の短手方向長さよりも若干長くなっている。
【００４３】
そして、表側部Ｈ１は、その左端及び下端を裏側部Ｈ２に合わせ、幅方向の一側部（右側部）を袋状に折り返した状態で、裏側部Ｈ２の外縁に沿って裏側部Ｈ２に圧着接合されている。本実施形態では、表側部Ｈ１と裏側部Ｈ２との接合方式として熱圧着を採用しているが、これに限定されるものではなく、熱圧着以外の他の接合方式（例えば、接着剤による接合）を採用してもよい。
【００４４】
以上のような構成の表側部Ｈ１のうち、その幅方向の一側部（右側部）と隣接する隣接部（具体的には、裏側部Ｈ２と重なる部分）と、裏側部Ｈ２との間には、マークカードＣを収容するための空間Ｓが形成される。また、空間Ｓの上端が、開口端Ｓａとなっており、マークカードＣは当該開口端Ｓａから空間Ｓ内に挿入される。つまり、表側部Ｈ１の上端は、表側部Ｈ１の長手方向において開口端Ｓａが位置する側の端である。
【００４５】
なお、本実施形態において、表側部Ｈ１の上端は、図７に示すように、上述の交差方向に対して斜めに傾いている傾斜部Ｈｒを有する。かかる構成では、表側部Ｈ１の上端が交差方向（すなわち、ホルダーＨの幅方向）に沿って形成されている場合と比較して、開口端Ｓａの幅がより広くなるので、マークカードＣを空間Ｓ内に挿入し易くなる。
さらに、表側部Ｈ１が上端から破けるのを防止するための処理として、表側部Ｈ１の上端部には圧縮エンボス加工が施されることとしてもよい。
【００４６】
一方、表側部Ｈ１の幅方向の一側部を袋状に折り返して形成される他の空間ＳＳは、株主がマークカードＣの記入領域ＣＨ１に記入する際に用いる筆記用具Ｂを収納するための空間となる。このような構成により、マークカードＣ及び記入用の筆記用具Ｂを共にホルダーＨに収容することが可能となるので、株主にとってより使い勝手の良いマークカードユニットＭが実現されることになる。
【００４７】
さらに、本実施形態に係る表側部Ｈ１には、表側部Ｈ１の一部を切り欠いて形成された露出穴Ａ１と、露出穴Ａ１の隣に形成された長穴Ａ２とが、備えられている。
露出穴Ａ１は、第１穴に相当し、株主がマークカードＣの記入領域ＣＨ１に記入する際に、マークカードＣがホルダーＨ（具体的には、空間Ｓ内）に収納された状態のままで記入領域ＣＨ１を露出させるための穴である。長穴Ａ２は、第２穴に相当し、ホルダーＨに形成された空間Ｓ内のマークカードＣを、開口端Ｓａを通じて当該空間Ｓ外に取り出す際に非記入領域ＣＨ２の一部を露出させるための穴である。
【００４８】
以下、露出穴Ａ１及び長穴Ａ２の各々について説明する。
露出穴Ａ１は、図７に示すように、略矩形状の穴であり、表側部Ｈ１の外縁から延出するように形成されている。より具体的に説明すると、露出穴Ａ１は、表側部Ｈ１の幅方向中央部を、表側部Ｈ１の下端から上端に向かって略矩形状に切り欠いて形成されている。露出穴Ａ１の短手方向長さは、マークカードＣの記入領域ＣＨ１の幅（上下方向と直交する方向の長さ）よりも一回り長く、露出穴Ａ１の長手方向長さは、記入領域ＣＨ１の上下方向の長さに比して十分に長くなっている。
【００４９】
さらに、本実施形態では、マークカードＣがホルダーＨの空間Ｓ内に収納された状態で、露出穴Ａ１の外縁が記入領域ＣＨ１よりも外側に位置するようになっている。具体的に説明すると、ホルダーＨの空間Ｓ内に挿入されたマークカードＣが空間Ｓの下端に当たる位置まで押込まれた状態において、露出穴Ａ１の上端は、ホルダーＨの上下方向において、記入領域ＣＨ１の上端位置よりも数ｍｍ程度上方に位置するようになる。また、空間Ｓの幅方向中央とマークカードＣの幅方向中央とが一致するようにマークカードＣを空間Ｓ内に収納させると、ホルダーＨの幅方向において、記入領域ＣＨ１の端と露出穴Ａ１の縁との間に数ｍｍ分の隙間が空くようになる。
【００５０】
以上までに説明してきた構成の露出穴Ａ１が表側部Ｈ１に備えられていることにより、株主は、ホルダーＨに収納した状態のままでマークカードＣへの記入を行うことが可能となり、マークカードＣがずれてホルダーＨに収納されたとしても、露出穴Ａ１が当該ずれを吸収するのに十分な大きさとなっているので、マークカードＣへの記入を適切に行うことが可能になる。さらに、露出穴Ａ１の大きさが十分に確保されている結果、マークカードＣの形状や記入領域ＣＨ１の位置の変化に対して柔軟に対応することが可能になる。
【００５１】
なお、表側部Ｈ１が露出穴Ａ１の側縁から破れるのを防止するための処理として、表側部Ｈ１のうち、露出穴Ａ１の側縁部と隣接する部位に圧縮エンボス加工を施すこととしてもよい（図７参照）。
【００５２】
長穴Ａ２は、長円状の穴であり、表側部Ｈ１において前述の露出穴Ａ１とは異なる位置、具体的には、表側部Ｈ１の長手方向において中央部に位置し、当該長手方向と交差する交差方向において左端部に位置するように形成されている。なお、長穴Ａ２の長手方向は、表側部Ｈ１の長手方向に沿っている。換言すると、表側部Ｈ１は、長穴Ａ２の長手方向に沿って長くなっている。
【００５３】
そして、マークカードＣがホルダーＨの空間Ｓ内に収納された状態において、マークカードＣの非記入領域ＣＨ２の一部は、長穴Ａ２を通じて露出することになる。このような構成により、株主は、記入済みのマークカードＣ（具体的には、記入済みのマークカード本体ＣＨ）を取り出す際に、長穴Ａ２を通じて露出する非記入領域ＣＨ２に指を押し当てる。かかる状態において、株主がマークカードＣの非記入領域ＣＨ２を擦るように指をホルダーＨの上下方向に沿って上向きに動かすと、空間Ｓ内のマークカードＣが開口端Ｓａに向かってスライドして空間Ｓ外に取り出されるようになる。
【００５４】
以上までに説明してきた構成の長穴Ａ２が表側部Ｈ１に備えられていることにより、記入済みのマークカードＣをホルダーＨから取り出す際には記入領域ＣＨ１に触れることがないので、マークカードＣを汚さずにホルダーＨから取り出すことが可能となる。
【００５５】
また、長穴Ａ２の長手方向は、表側部Ｈ１の長手方向、すなわち、ホルダーＨの上下方向に沿っている。ここで、ホルダーＨの上下方向は、ホルダーＨの空間Ｓ内に収納されたマークカードＣを空間Ｓ外に取り出す際の取り出し方向に相当する。したがって、マークカードＣを取り出す動作として、株主が長穴Ａ２により露出した非記入領域ＣＨ２を指等で摺擦してマークカードＣをスライドさせる際に、長穴Ａ２の長手方向が摺擦方向に沿っているので、マークカードＣを取り出し易くなる。
【００５６】
次に、以上までに説明してきた構成のマークカードユニットＭの取扱いについて、図８及び図９を参照しながら説明する。
マークカードユニットＭは、株主に手渡される前の時点において、所定の保管場所に保管されている。かかる時点のマークカードユニットＭでは、マークカードＣが既にホルダーＨに収納されており、マークカード本体ＣＨとタグＣＴとがつながった状態（換言すると、タグＣＴが切り取られていない状態）にある。かかる状態のマークカードＣでは、マークカード本体ＣＨが、ホルダーＣＨの空間Ｓから僅かにはみ出した状態で当該空間内Ｓに配置されている。その一方で、タグＣＴは、空間Ｓの外に配置されている。
【００５７】
その後、マークカードユニットＭは、株主総会の受付にて株主に手渡される。この際、受付スタッフは、株主から議決権行使書（不図示）を受け取り、マークカードＣのタグＣＴをマークカード本体ＣＨから切り離し、タグＣＴを切り取った状態のマークカードユニットＭを株主に手渡す。そして、上述したように、マークカードＣがホルダーＨの空間Ｓ内に収納されている状態においてタグＣＴが空間Ｓ外に配置されているので、受付スタッフは、マークカードＣがホルダーＨに収容された状態のままでタグＣＴを容易に切り取ることが可能になる。なお、切り取られたタグＣＴは、タグＣＴ側に記載の受付番号と、上記議決権行使書に記載の株主番号を紐付けするために回収され、議決権行使書とともに保管される。
【００５８】
一方、マークカードユニットＭを手渡された株主は、総会中、図８に示すように、首掛け紐Ｊを首に掛けて、マークカードユニットＭを首から下げた状態で携帯する。そして、マークカードＣへの記入をする際には、図９に示すように、マークカードＣをホルダーＨの空間Ｓ内に収納した状態のままで記入をする。すなわち、裏側部Ｈ２をマークカード本体ＣＨの台板（下敷き）として用いつつ、露出穴Ａ１により記入領域ＣＨ１を露出させた状態で、記入領域ＣＨ１に議案毎の回答を記入する。
【００５９】
マークカードＣへの記入が完了した後、マークカードＣは、回収される時点までホルダーＨに収納され続け、最終的にホルダーＨの空間Ｓ外に取り出されるようになる。ホルダーＨの空間Ｓ内のマークカードＣ（より具体的には、マークカード本体ＣＨ）を取り出す際、株主（或いは、回収スタッフ）は、マークカードＣの非記入領域ＣＨ２のうち、長穴Ａ２により露出した部分を指で摺擦してマークカードＣをスライドさせる。そして、空間Ｓの開口端ＳａからマークカードＣの上端部が突出した時点で、当該上端部を把持してマークカードＣを空間Ｓ外に取り出す。そして、マークカードＣとホルダーＨとがそれぞれ回収され、マークカードＣについては読取装置にて読み取られるようになる。
【００６０】
以上のような構成のマークカードユニットＭにより、株主（すなわち、回答者）は、株主総会中にマークカードＣを適切に持ち運ぶことができると共に、マークカードＣへの記入を容易に行うことができ、さらには、ホルダーＨに収納された状態のマークカードＣを適切に取り出すことができるようになる。
【符号の説明】
【００６１】
Ａ１  露出穴、Ａ２  長穴、Ｂ  筆記用具、
Ｃ  マークカード、ＣＨ  マークカード本体、
ＣＨ１  記入領域、ＣＨ１１〜１５  記入領域片、
ＣＨ２  非記入領域、ＣＨ２１  受付番号領域、
ＣＨ２２  議案領域、ＣＨ２３  予備領域、
ＣＨ２４  注意事項領域、ＣＨ２５  プレマーク領域、
Ｃｕ  カラム群、Ｃｕ１  一括カラム群、
ＣＴ  タグ、ＣＶ  コーナカット部、
Ｈ  ホルダー、Ｈ１  表側部、Ｈ２  裏側部、
Ｈａ  通し孔、Ｈｒ  傾斜部、Ｊ  首掛け紐、Ｌ  切り取り線、
Ｍ  マークカードユニット、Ｓ  空間、Ｓａ  開口端、
ＳＳ  他の空間、ｔ  タイミングマーク
【図１】
0003167648.tif 000003
【図２】
0003167648.tif 000004
【図３】
0003167648.tif 000005
【図４】
0003167648.tif 000006
【図５】
0003167648.tif 000007
【図６】
0003167648.tif 000008
【図７】
0003167648.tif 000009
【図８】
0003167648.tif 000010
【図９】
0003167648.tif 000011